(57)【要約】【課題】対象空間の除菌および脱臭を安全かつ確実に実行する。【解決手段】オゾンを生成するオゾン生成部６と、酸素クラスターを生成する酸素クラスター生成部７と、オゾン生成部６によるオゾン生成動作および酸素クラスター生成部７による酸素クラスター生成動作を制御する制御部８とを備え、制御部８が、オゾンおよび酸素クラスターを放出する対象空間内に移動物体が滞在しているときに、オゾン生成動作を停止させると共に酸素クラスター生成動作を実行させ、対象空間内に移動物体が滞在していないときに、オゾン生成動作を実行させる。【選択図】図１
2007020904.tif 000002
【特許請求の範囲】
【請求項１】
オゾンを生成するオゾン生成部と、酸素クラスターを生成する酸素クラスター生成部と、前記オゾン生成部によるオゾン生成動作および前記酸素クラスター生成部による酸素クラスター生成動作を制御する制御部とを備え、
前記制御部は、前記オゾンおよび前記酸素クラスターを放出する対象空間内に移動物体が滞在しているときに、前記オゾン生成動作を停止させると共に前記酸素クラスター生成動作を実行させ、当該対象空間内に当該移動物体が滞在していないときに、当該オゾン生成動作を実行させる脱臭除菌システム。
【請求項２】
前記対象空間内における前記移動物体の滞在の有無を検出する移動物体検出部を備えている請求項１記載の脱臭除菌システム。
【請求項３】
前記制御部は、前記対象空間内に前記移動物体が滞在していないときに、前記酸素クラスター生成動作を実行させる請求項１または２記載の脱臭除菌システム。
【請求項４】
前記制御部は、前記オゾン生成動作の開始時から所定時間が経過したときに当該オゾン生成動作を停止させる請求項１から３のいずれかに記載の脱臭除菌システム。
【請求項５】
前記対象空間内のオゾン濃度を検出して検出信号を出力するオゾン検出部を備え、
前記制御部は、前記検出信号に基づいて、前記オゾン濃度が所定値を超えているときに前記オゾン生成動作を停止させる請求項１から４のいずれかに記載の脱臭除菌システム。
【請求項６】
前記対象空間は、扉を備えて当該扉によって閉塞可能な空間であって、
前記扉は、前記対象空間の外部からの解錠を不可状態とするロック機構を備え、
前記制御部は、前記オゾン濃度が前記所定値を超えているときに、前記ロック機構を制御して前記扉を前記不可状態に維持する請求項５記載の脱臭除菌システム。
【請求項７】
前記対象空間のオゾン濃度に関する情報を報知する報知部を備え、
前記制御部は、前記オゾン濃度が前記所定値を超えているときに、前記情報を前記報知部に対して報知させる請求項５または６記載の脱臭除菌システム。
【発明の詳細な説明】
【技術分野】
【０００１】
本発明は、対象空間の脱臭および除菌を実行する脱臭除菌システムに関するものである。
【背景技術】
【０００２】
この種の脱臭除菌システムとして、エアーコンディショナーによってオゾンを送風循環させて自動車の車内の脱臭および殺菌を実行するオゾン脱臭・殺菌装置が特開２００１−７０４２５号公報に開示されている。このオゾン脱臭・殺菌装置は、強力な脱臭効果および殺菌効果を有するオゾンを発生させるために紫外線を照射する紫外線照射ランプと、この紫外線照射ランプに向かって空気を送り出すことで装置外（車内）にオゾンを放出するファン（第１のファン部材）と、紫外線照射ランプおよびファンの駆動時間を設定するタイマー（第１のタイマー部材）とを備えて構成されている。このオゾン脱臭・殺菌装置では、使用者によって適宜の時間に設定されたタイマーが作動しているときに、紫外線照射ランプが紫外線を照射して周囲の酸素をオゾンに変化させつつ、ファンがそのオゾンを装置外に放出し続ける。この際に、自動車のエアーコンディショナーの送風循環によってオゾンが車内およびエアーコンディショナー内に充満させられることにより、車内などの脱臭および殺菌が行われる。
【特許文献１】特開２００１−７０４２５号公報（第２−３頁、第１−２図）
【発明の開示】
【発明が解決しようとする課題】
【０００３】
ところが、上記のオゾン脱臭・殺菌装置には、以下の問題点がある。すなわち、このオゾン脱臭・殺菌装置を初めとして従来の脱臭・殺菌装置では、オゾンのみを用いて脱臭および殺菌を行っている。この場合、オゾンが人体に悪影響を及ぼすおそれがあるため、使用者が対象空間内にいるときには、脱臭および殺菌を実行することができないこととなる。したがって、例えば、対象空間内に人が常に滞在している場合には、オゾンを用いて脱臭および殺菌を実行する時間を十分に確保するのが困難となるため、脱臭および殺菌を確実に実行することができないおそれがある。一方、脱臭および殺菌を確実に実行するために高濃度のオゾンを用いたときには、脱臭および殺菌の終了後に残留しているオゾンによって健康を害するおそれがある。
【０００４】
本発明は、かかる問題点に鑑みてなされたものであり、対象空間の除菌および脱臭を安全かつ確実に実行し得る脱臭除菌システムを提供することを主目的とする。
【課題を解決するための手段】
【０００５】
上記目的を達成すべく請求項１記載の脱臭除菌システムは、オゾンを生成するオゾン生成部と、酸素クラスターを生成する酸素クラスター生成部と、前記オゾン生成部によるオゾン生成動作および前記酸素クラスター生成部による酸素クラスター生成動作を制御する制御部とを備え、前記制御部が、前記オゾンおよび前記酸素クラスターを放出する対象空間内に移動物体が滞在しているときに、前記オゾン生成動作を停止させると共に前記酸素クラスター生成動作を実行させ、当該対象空間内に当該移動物体が滞在していないときに、当該オゾン生成動作を実行させる。なお、本明細書における「移動物体」とは、対象空間内において移動する人、および人以外の生き物などを意味する。
【０００６】
請求項２記載の脱臭除菌システムは、請求項１記載の脱臭除菌システムにおいて、前記対象空間内における前記移動物体の滞在の有無を検出する移動物体検出部を備えている。
【０００７】
請求項３記載の脱臭除菌システムは、請求項１または２記載の脱臭除菌システムにおいて、記制御部が、前記対象空間内に前記移動物体が滞在していないときに、前記酸素クラスター生成動作を実行させる。
【０００８】
請求項４記載の脱臭除菌システムは、請求項１から３のいずれかに記載の脱臭除菌システムにおいて、前記制御部が、前記オゾン生成動作の開始時から所定時間が経過したときに当該オゾン生成動作を停止させる。
【０００９】
請求項５記載の脱臭除菌システムは、請求項１から４のいずれかに記載の脱臭除菌システムにおいて、前記対象空間内のオゾン濃度を検出して検出信号を出力するオゾン検出部を備え、前記制御部が、前記検出信号に基づいて、前記オゾン濃度が所定値を超えているときに前記オゾン生成動作を停止させる。
【００１０】
請求項６記載の脱臭除菌システムは、請求項５記載の脱臭除菌システムにおいて、前記対象空間が、扉を備えて当該扉によって閉塞可能な空間であって、前記扉が、前記対象空間の外部からの解錠を不可状態とするロック機構を備え、前記制御部が、前記オゾン濃度が前記所定値を超えているときに、前記ロック機構を制御して前記扉を前記不可状態に維持する。
【００１１】
請求項７記載の脱臭除菌システムは、請求項５または６記載の脱臭除菌システムにおいて、前記対象空間のオゾン濃度に関する情報を報知する報知部を備え、前記制御部が、前記オゾン濃度が前記所定値を超えているときに、前記情報を前記報知部に対して報知させる。
【発明の効果】
【００１２】
請求項１記載の脱臭除菌システムによれば、対象空間内に移動物体が滞在しているときには、オゾン生成動作を停止すると共に酸素クラスター生成動作を実行することにより、人体に無害な酸素クラスターによって対象空間内の脱臭および除菌を実行することができるため、対象空間内の脱臭および除菌を安全に実行することができる。一方、対象空間内に移動物体が滞在していないときには、オゾン生成動作を実行することにより、強力な脱臭効果および除菌効果を有するオゾンを用いて対象空間内の脱臭および除菌を実行することができるため、対象空間内の脱臭および除菌を確実に実行することができる。したがって、対象空間内の脱臭および除菌を安全かつ確実に実行することができる。
【００１３】
また、請求項２記載の脱臭除菌システムによれば、対象空間内における移動物体の滞在の有無を移動物体検出部を用いて検出することにより、移動物体の有無を確実に検出することができる結果、対象空間内の脱臭および除菌を一層安全に実行することができる。
【００１４】
さらに、請求項３記載の脱臭除菌システムによれば、対象空間内に移動物体が滞在していないときに、酸素クラスター生成動作を実行することにより、オゾン生成動作と酸素クラスター生成動作とを並行して実行することができるため、対象空間内の脱臭および除菌を確実に実行することができる。
【００１５】
また、請求項４記載の脱臭除菌システムによれば、オゾン生成動作の開始時から所定時間が経過した際にオゾン生成動作を停止させることにより、対象空間内が高いオゾン濃度に維持されるのを回避することができる結果、高濃度のオゾンによる脱色作用を発生させることなく対象空間内の脱臭および除菌を確実に実行することができる。
【００１６】
さらに、請求項５記載の脱臭除菌システムによれば、検出信号に基づいてオゾン濃度が所定値を超えたと判定したときにオゾン生成動作を停止させることにより、オゾンによる脱色作用を発生させることなく対象空間内の脱臭および除菌を確実に実行することができる。
【００１７】
また、請求項６記載の脱臭除菌システムによれば、オゾン濃度が所定値を超えているときに、ロック機構を制御して扉の解錠を不可状態を維持することにより、移動物体が対象空間に誤って入室する事態を回避することができるため、対象空間内の脱臭および除菌を一層安全に実行することができる。
【００１８】
さらに、請求項７記載の脱臭除菌システムによれば、オゾン濃度が所定値を超えているときに、オゾン濃度が所定値を超えている旨の情報を報知部に対して表示させることにより、移動物体が対象空間に誤って入室する事態を回避することができるため、対象空間内の脱臭および除菌を一層安全に実行することができる。
【発明を実施するための最良の形態】
【００１９】
以下、本発明に係る脱臭除菌システムの最良の形態について、添付図面を参照して説明する。
【００２０】
最初に、脱臭除菌システム１の構成について、図面を参照して説明する。脱臭除菌システム１は、図１に示すように、光反射型センサ２、オゾンセンサ３、スイッチ４、タイマ５、オゾン生成部６、酸素クラスター生成部７、制御部８、および、これらを収納する装置ケース９を備え、脱臭処理のほか、除菌処理、エチレンなどの有機化合物の分解処理等が可能に構成されている。ここで、装置ケース９は、例えば、図２に示すように、例えば食品を加工するための加工室１００における出入口の横に配置される。この場合、加工室１００は、作業者（移動物体）が加工室１００に出入りする際などに開閉される扉１０１を閉めることによって閉塞された空間を形成する。なお、扉１０１は後述するように制御部８から駆動信号Ｓ３が出力されたときには、加工室１００の外部からの解錠を不可状態とするロック機構（図示せず）を備えている。また、加工室１００の外壁には、室内のオゾン濃度に関する情報を報知する警告表示灯（本発明における報知部）１０２が配設されている。
【００２１】
光反射型センサ２は、本発明における移動物体検出部に相当し、加工室１００内における作業者の滞在の有無を検出して検出信号Ｓ１を制御部８に出力する。この場合、光反射型センサ２は、例えば、加工室１００の内部に向けて赤外線を常時照射する発光素子（図示せず）と、この発光素子によって照射された光が作業者に当たって反射した反射光を受光する受光素子（図示せず）とを備えて構成されている。オゾンセンサ３は、本発明におけるオゾン検出部に相当し、加工室１００内のオゾン濃度Ｃを検出して、例えばオゾン濃度Ｃに応じた電圧値の検出信号Ｓ２を制御部８に出力する。スイッチ４は、例えば、装置ケース９の正面に設けられて、図３に示す動作設定処理１０を制御部８に実行させる機能を有している。タイマ５は、一定周期（例えば１０分）で制御部８に制御信号を出力することにより、上記の動作設定処理１０を周期的に実行させる。
【００２２】
オゾン生成部６は、例えば紫外線を照射することによってオゾンを発生させるオゾン発生管を備え、制御部８の制御に従って加工室１００内に放出するためのオゾンを生成する。なお、オゾンは、強力な脱臭効果および除菌効果を有するものの、脱色作用やゴム製品を劣化させる作用も有している。さらに、高濃度のオゾンは人体に悪影響を及ぼすため、例えば、加工室１００のような閉塞された空間内に作業者が滞在しているようなときには、労働環境規制値としてオゾン濃度Ｃが０．１ｐｐｍ以下の濃度であることが義務づけられている。一方、酸素クラスター生成部（以下、単に「クラスター生成部」ともいう）７は、コロナ放電などによって酸素クラスターを発生させる酸素クラスター発生管を備え、制御部８の制御に従って加工室１００内に放出するための酸素クラスターを生成する。ここで、酸素クラスターとは、例えばコロナ放電などを用いて酸素分子の各々に正負のいずれかの電荷を持たせると共に集合させることによって形成された酸素分子イオンが１０〜６０個集まった集合体をいう。また、酸素クラスターは、人体に対しては無害であると共に、オゾンよりは弱めの脱臭効果および除菌効果を有する。なお、後述するが、クラスター生成部７は、酸素クラスターを生成する際に、微量ではあるがオゾンも生成する。
【００２３】
制御部８は、加工室１００内における作業者の滞在の有無に応じてオゾン生成部６およびクラスター生成部７の選択的な作動を制御する。具体的には、制御部８は、図３に示す動作設定処理１０を実行することにより、検出信号Ｓ１に基づいて加工室１００内に作業者が滞在していると判定したときには、オゾン生成部６によるオゾン生成動作を停止させると共にクラスター生成部７による酸素クラスター生成動作を実行させる第１処理２０を実行し、加工室１００内に作業者が滞在していないとき（無人のとき）に、オゾン生成動作および酸素クラスター生成動作を実行させる第２処理３０を実行する。また、制御部８は、第２処理３０を実行する際には、図２に示すように、加工室１００の扉１０１のロック機構に駆動信号Ｓ３を出力して扉１０１の加工室１００の室外からの解錠を不可状態に施錠させると共に、後述するように、警告表示灯１０２に駆動信号Ｓ３を出力して所定の警告表示を表示させる。
【００２４】
次に、脱臭除菌システム１の全体的な動作について、図面を参照して説明する。
【００２５】
この脱臭除菌システム１では、電源投入状態において作業者がスイッチ４を押すことにより、制御部８が、図３に示す動作設定処理１０を実行する。この場合、まず、制御部８は、光反射型センサ２からの検出信号Ｓ１に基づいて、加工室１００内に作業者が滞在しているか否かを判定する（ステップ１１）。この際に、作業者が滞在していると判定したときには、制御部８は、図４に示す第１処理２０を実行する（ステップ１２）。この第１処理２０では、制御部８は、まず、オゾン生成部６が作動しているか否かを判定する（ステップ２１）。この際に、オゾン生成部６が作動しているときには、制御部８は、オゾン生成部６によるオゾン生成動作を停止させる（ステップ２２）。次いで、制御部８は、クラスター生成部７が作動しているか否かを判定する（ステップ２３）。この場合、クラスター生成部７が作動していないときには、制御部８は、クラスター生成部７を作動させて、酸素クラスター生成動作を開始させる（ステップ２４）。なお、ステップ２１においてオゾン生成部６が作動していないと判定したときにはステップ２２を実行することなくステップ２３を実行すると共に、ステップ２３においてクラスター生成部７が作動していると判定したときにはステップ２４を実行することなくステップ２５を実行することにより、この第１処理２０では、クラスター生成部７が作動させられる。
【００２６】
次いで、制御部８は、オゾンセンサ３からの検出信号Ｓ２に基づいて、オゾン濃度Ｃが所定値Ｃ１を超えているか否かを判定する（ステップ２５）。なお、所定値Ｃ１は、酸素クラスターを生成する際に生成される微量のオゾンによって加工室１００内のオゾン濃度Ｃが労働環境規制値を超えないようにするために設けられ、例えば０．１ｐｐｍに設定されている。ここで、ステップ２５においてオゾン濃度Ｃが所定値Ｃ１を超えていると判定したときには、制御部８は、クラスター生成部７による酸素クラスター生成動作を停止させて（ステップ２６）、この第１処理２０を終了する。一方、ステップ２５においてオゾン濃度Ｃが所定値Ｃ１を超えていないと判定したときには、制御部８は、ステップ２６を実行することなく、酸素クラスター生成動作を継続させた状態で、第１処理２０を終了する。
【００２７】
一方、ステップ１１において加工室１００内に作業者が滞在していないと判定したときには、制御部８は、図５に示す第２処理３０を実行する（ステップ１３）。この第２処理３０では、制御部８は、まず、オゾン生成部６が作動しているか否かを判定する（ステップ３１）。この際に、オゾン生成部６が作動していないときには、制御部８は、オゾン生成部６によるオゾン生成動作を開始させる（ステップ３２）と共にその時刻を内部メモリに記憶する。次いで、制御部８は、クラスター生成部７が作動しているか否かを判定する（ステップ３３）。この場合、クラスター生成部７が作動していないときには、制御部８は、クラスター生成部７を作動させて、酸素クラスター生成動作を開始させる（ステップ３４）。なお、ステップ３１においてオゾン生成部６が作動していると判定したときにはステップ３２を実行することなくステップ３３を実行すると共に、ステップ３３においてクラスター生成部７が作動していると判定したときにはステップ３４を実行することなくステップ３５を実行することにより、この第２処理３０では、オゾン生成部６およびクラスター生成部７の両者が作動させられる。
【００２８】
次いで、制御部８は、検出信号Ｓ２に基づいて、オゾン濃度Ｃが所定値Ｃ２を超えているか否かを判定する（ステップ３５）。なお、所定値Ｃ２は、所定値Ｃ１よりも高く設定されており、例えば、その濃度のオゾンが充満した加工室１００内に作業者が入室しない方が好ましい程度（例えば０．３ｐｐｍ）に設定されている。このステップ３５においてオゾン濃度Ｃが所定値Ｃ２を超えていると判定したときには、制御部８は、オゾン濃度Ｃが所定値Ｃ３を超えているか否かを判定する（ステップ３６）。なお、所定値Ｃ３は、所定値Ｃ２よりも高く設定され、例えば、その濃度のオゾンが充満した加工室１００内への作業者の入室を禁止すべきである程度（例えば５ｐｐｍ）に設定されている。ここで、オゾン濃度Ｃが所定値Ｃ３を超えているときには、制御部８は、加工室１００における扉１０１のロック機構に駆動信号Ｓ３を出力して扉１０１の加工室１００の室外からの解錠を不可状態に維持させるように施錠させる（ステップ３７）。また、制御部８は、駆動信号Ｓ３を出力して警告表示灯１０２を制御することにより、オゾン濃度Ｃが所定値Ｃ３を超えて、加工室１００内への作業者の入室が危険である旨を警告表示灯１０２に表示（報知）させる(ステップ３８）。続いて、制御部８は、オゾン生成部６によるオゾン生成動作を停止させて(ステップ３９）、この第２処理３０を終了する。
【００２９】
一方、ステップ３５においてオゾン濃度Ｃが所定値Ｃ２を超えていないと判定したときには、制御部８は、オゾン生成動作の開始時から所定時間ｔ（例えば、１時間）が経過したか否かを判定する（ステップ４０）。この際に、所定時間ｔが経過したと判定したときには、これ以上のオゾンの生成が不要であるため、制御部８は、オゾン生成動作を停止させ（ステップ３９）、この第２処理３０を終了する。また、ステップ３６においてオゾン濃度Ｃが所定値Ｃ３を超えていないと判定したときには、これ以上のオゾンの生成が不要で、かつ警報や施錠が不要であるため、制御部８は、ステップ３７，３８を実行することなくオゾン生成動作を停止させて（ステップ３９）、第２処理３０を終了する。一方、ステップ４０において所定時間ｔが経過していないと判定したときには、オゾンの生成がまだ必要であるため、制御部８は、ステップ３９を実行することなくオゾン生成動作を継続させた状態で、この第２処理３０を終了する。
【００３０】
このように、この脱臭除菌システム１によれば、検出信号Ｓ１に基づいて加工室１００内に作業者が滞在していると判定したときには、オゾン生成動作を停止すると共に酸素クラスター生成動作を実行することにより、人体に無害な酸素クラスターによって加工室１００内の脱臭および除菌を実行することができるため、加工室１００内の脱臭および除菌を安全に実行することができる。一方、加工室１００内に作業者が滞在していないと判定したときには、オゾン生成動作を実行することにより、強力な脱臭効果および除菌効果を有するオゾンを用いて加工室１００内の脱臭および除菌を実行させることができるため、加工室１００内の脱臭および除菌を確実に実行することができる。したがって、この脱臭除菌システム１によれば、加工室１００内の脱臭および除菌を安全かつ確実に実行することができる。
【００３１】
また、この脱臭除菌システム１によれば、加工室１００内における作業者の滞在の有無を光反射型センサ２を用いて検出することにより、作業者の有無を確実に検出することができる結果、加工室１００内の脱臭および除菌を一層安全に実行することができる。
【００３２】
さらに、この脱臭除菌システム１によれば、加工室１００内に作業者が滞在していないときに、酸素クラスター生成動作を実行させることにより、オゾン生成動作と酸素クラスター生成動作とを並行して実行させることができるため、加工室１００内の脱臭および除菌を確実に実行することができる。
【００３３】
さらに、この脱臭除菌システム１によれば、オゾン生成動作の開始時から所定時間ｔが経過した際にオゾン生成動作を停止することにより、加工室１００内が高いオゾン濃度に維持されるのを回避することができる結果、高濃度のオゾンによる脱色作用を発生させることなく加工室１００内の脱臭および除菌を確実に実行することができる。また、この脱臭除菌システム１によれば、検出信号Ｓ２に基づいてオゾン濃度Ｃが所定値Ｃ２を超えたと判定したときにオゾン生成動作を停止することにより、オゾンによる脱色作用を発生させることなく加工室１００内の脱臭および除菌を確実に実行することができる。
【００３４】
さらに、この脱臭除菌システム１によれば、オゾン濃度Ｃが所定値Ｃ３を超えているときに、ロック機構を制御して扉１０１を不可状態に維持することにより、作業者が加工室１００に誤って入室する事態を回避することができるため、加工室１００内の脱臭および除菌を一層安全に実行することができる。また、この脱臭除菌システム１によれば、オゾン濃度Ｃが所定値Ｃ３を超えているときに、加工室１００内への作業者の入室が危険である旨の情報を警告表示灯１０２に対して表示させることにより、作業者が加工室１００に誤って入室する事態を回避することができるため、加工室１００内の脱臭および除菌を一層安全に実行することができる。
【００３５】
なお、本発明は、上記の構成に限定されない。例えば、タイマ５にプログラム機能を備えさせることもできる。この構成では、制御部８が、このタイマ５のプログラム機能を利用して、出勤日の就業時間帯のように作業者が加工室１００に存在すると想定される曜日および時間帯に第１処理２０を実行すると共に、作業者の退社後や休日のように作業者が加工室１００に存在しないと想定される曜日および時間帯に第２処理３０を実行する構成を採用することができる。この構成によれば、制御部８が動作設定処理１０を実行して両処理２０，３０を選択的に実行するときと同等の効果を得ることができる。なお、第２処理３０が実行されているときに作業者が誤って加工室１００に入室したとしても、高濃度のオゾンが強烈な刺激臭を有するため、作業者が加工室１００に滞在して安全を害される事態は回避される。また、本例では、加工室１００内のオゾン濃度Ｃに関する情報として、加工室１００内への作業者の入室が危険である旨を警告表示灯１０２を用いて報知させる構成について説明したが、これに限定されない。例えば、本発明における報知としては、液晶などで構成された表示部を用いて警告表示およびオゾン濃度Ｃを表示してもよく、ブザーやベルなどで構成された音響装置を用いて警報音を出力してもよい。これらの構成においても、警告表示灯１０２を用いたときと同等の効果を得ることができる。
【００３６】
さらに、第１処理２０と第２処理３０とを切り替え可能なスイッチを設け、作業者による両処理２０，３０の任意な切り替えを可能とする構成を採用することもできる。また、装置ケース９にファンを設ける構成を採用することもできる。この構成によれば、オゾンや酸素クラスターを加工室１００内に満遍なく満たすことができる結果、より確実に脱臭および除菌を実行することができる。また、脱臭除菌システム１を構成する各構成要素（オゾン生成部６、クラスター生成部７および制御部８など）を装置ケース９に収納することにより、各々を別個独立させて構成するよりも安価に脱臭除菌システムを実現し得る構成について説明したが、各構成要素を建物や個室の所定の場所に適宜別体として設置してもよい。また、これらの構成要素を、空調設備、換気設備および熱交換機などに組み込むこともできる。この場合には、オゾン回収機等を設置してオゾンを回収する構成を採用することもできる。さらに、本例では、脱臭除菌システム１を食品の加工室１００に配置する例について説明したが、本発明はこれに限定されない。例えば、集合住宅、スポーツクラブ、老人ホーム、銭湯などのように脱臭および除菌が必要とされる空間を有する施設に脱臭除菌システム１を配置することができる。
【図面の簡単な説明】
【００３７】
【図１】脱臭除菌システム１の構成図である。
【図２】脱臭除菌システム１を配置した加工室１００の平面図である。
【図３】動作設定処理１０のフローチャートである。
【図４】第１処理２０のフローチャートである。
【図５】第２処理３０のフローチャートである。
【符号の説明】
【００３８】
１  脱臭除菌システム
２  光反射型センサ
３  オゾンセンサ
４  スイッチ
５  タイマ
６  オゾン生成部
７  酸素クラスター生成部
８  制御部
１００  加工室
１０１  扉
１０２  警告表示灯
Ｃ  オゾン濃度
Ｃ１，Ｃ２，Ｃ３  所定値
Ｓ１，Ｓ２  検出信号
ｔ  所定時間
【図１】
2007020904.tif 000003
【図２】
2007020904.tif 000004
【図３】
2007020904.tif 000005
【図４】
2007020904.tif 000006
【図５】
2007020904.tif 000007